(57)【要約】      （修正有）【課題】ハンドルレバーを押し下げるだけで上下方向に配置した２本のトイレットペーパーが同期して巻き出されるために高齢者や片麻痺若しくはトイレ介助をする人に対して負担を低減できるトイレットペーパーホルダーを提供する。【解決手段】トイレットペーパー１４０、１４５が上下方向に配置される構造で、上のトイレットペーパー１４０の芯は第一送り歯５０が備わった第一回転軸、下のトイレットペーパー１４５の芯は第一送り歯５０と同じ仕様の第二送り歯５５が備わった第二回転軸にそれぞれ嵌め込まれ、第一の回転軸と第二の回転軸は、主軸に取り付けられた主歯車３０と噛み合うように設置されており、主軸の回動により連動して回動する。ラチェット機構を有するハンドルレバー１３０を下方向に押し下げることにより主軸が回動することで主歯車３０に噛み合った第一送り歯５０と第二送り歯５５も回動する。【選択図】図１
0003220390.tif 000002
【実用新案登録請求の範囲】
【請求項１】
主歯車の回動により連動して回動する２個の送り歯車と、前記送り歯車の軸にはトイレットペーパーが取り付けられ、前記主歯車の回動により前記トイレットペーパーが同時に巻き出されるトイレットペーパーホルダー
【請求項２】
前記巻き出されたトイレットペーパーを保持するための受け皿と前記巻き出されたトイレットペーパーを切断するためのカッターを備えた請求項１から２記載のトイレットペーパーホルダー
【請求項３】
手動レバーが前記主歯車に連結され、該手動レバーを下方向に押し下げることにより前記主歯車が回動する請求項と請求項２記載のトイレットペーパーホルダー
【考案の詳細な説明】
【技術分野】
【０００１】本考案は、２本のトイレットペーパーを同時に巻き出すトイレットペーパーホルダーに関する。
【背景技術】
【０００２】病院、公共施設、並びに老人ホーム等に設置しているトイレットペーパーホルダーは健常者用として設計されており、例えば、高齢者や片麻痺（トイレ介助をする人は片手で利用者を支え、他方の手で処理をしなければならないため、両手を使ってのトイレットペーパーの取り出しは危険性が極めて高く、負担も大きい。
【先行技術文献】
【特許文献】
【０００３】
【特許文献１】ＷＯ２０１２−１１７５８２号
【０００４】
【考案の概要】
【考案が解決しようとする課題】
【０００５】上記のように高齢化社会に伴う福祉意識の高まりを背景に、高齢者の日常的な活動を介助支援や障害者の介護支援するための技術が種々提案されており、その一つとして、トイレットペーパー用のペーパーホルダー装置がある。ＷＯ２０１２−１１７５８２号が提案されている。【０００６】前記提案は確かにセンサー感知による自動でのトイレットペーパーの送り出しと自動ペーパー切断機能が備わっているために片麻痺者や高齢者等に対して使用勝手の良いトイレットペーパーホルダーである。しかしながら、前記トイレットペーパーホルダーは電動式であるため高価格であり、停電時には使用できないためバッテリーを取り付けることで更に高価な商品となる。また、施設等には各階、各トイレ室には複数のトイレットペーパーホルダーを必要とするため導入費用は相当な金額となる。
【課題を解決するための手段】
【０００７】上記課題に鑑み、考案者は誠意工夫の結果、操作性の観点、コストの観点を両立させることが可能とするため、主歯車の回動により連動して回動する２個の回転歯車と、前記回転歯車の軸にはトイレットペーパーが軸通され、前記主歯車と回転歯車の回動により連動して前記トイレットペーパーが同じ長さで巻き出されるトイレットペーパーホルダー。【０００８】前記回転歯車の一方に連動して回動する第１の送り歯車と、前記送り歯車の回動に連動して回動する第２の送り歯車と、前記２本の送り歯車の軸間にトイレットペーパーを挟持させるトイレットペーパーホルダー。【０００９】前記２本の送り歯車の軸間から巻き出されたトイレットペーパーを保持するための受け皿と前記巻き出されたトイレットペーパーを切断するためのカッターを備えたトイレットペーパーホルダー。【００１０】前記主歯車を回動させるために前記主歯車に手動レバーが連結されたトイレットペーパーホルダー。
【考案の効果】
【００１１】上述の様に、本考案のトイレットペーパーホルダーにより、２本のトイレットペーパーが同期して同じ長さ繰り出されるために手動レバーを僅かに押し下げるだけで必要長さのトイレットペーパーが送り出され、高齢者や片麻痺若しくはトイレ介助をする人に対して負担を低減できる。
【図面の簡単な説明】
【００１２】
【図１】本考案の一実施形態に係るトイレットペーパーホルダーの前面方向から見た内部構造を示す簡略図
【図２】図１に記載のＡ−Ｂ方向のトイレットペーパーホルダー断面を側面方向から見た内部構造を示す簡略図
【図３】本考案の一実施形態に係るトイレットペーパーホルダーの上面図
【考案を実施するための形態】
【００１３】以下、本考案に係る実施の形態を図面により説明するが、本考案の範囲は、本実施形態に制限されるものではない。
【実施例】
【００１４】図１は、本考案の一実施形態に係るトイレットペーパーホルダーの前面方向から見た内部構造を示す簡略図、図２は図１に記載のＡ−Ｂ方向のトイレットペーパーホルダー断面を側面方向から見た内部構造を示す簡略図、図３は本考案の一実施形態に係るトイレットペーパーホルダーの上面図を示す。【００１５】本考案の一実施形態に係るトイレットペーパーホルダー１の内部には、図１と図２に示すようにトイレットペーパー１４０とトイレットペーパー１４５が上下方向に配置される構造となっている。トイレットペーパー１４０の芯は第一送り歯５０が備わった第一回転軸４０、トイレットペーパー１４５の芯は前記第一送り歯と同じ仕様の第二送り歯５５が備わった第二回転軸４５にそれぞれ嵌め込まれ、第一回転軸４０と第二回転軸４５の一端はトイレットペーパーホルダー１の内壁に取り付けてある玉軸受と支持板５に取り付けてある玉軸受にて保持される構造となっている。また、トイレットペーパーホルダー１の他方の側面はカバー１０を取り付ける構造となっておりトイレットペーパーの交換時に開閉する。【００１６】図２に示すように第一の回転軸４０と第二の回転軸４５は、主軸２０に取り付けられた主歯車３０と噛み合うように設置されており、主軸２０の回動により連動して回動する。また、前記主軸２０の一端は支持板５に備えてある玉軸受とトイレットペーパーホルダー内部に取り付けられた玉受軸にて保持され他端はラチェット機構を有するハンドルレバー１３０に取り付けられている。【００１７】図３に示すように前記ラチェット機構を有するハンドルレバー１３０を下方向に押し下げることにより前記主軸２０が回動することで主歯車３０に噛み合った第一送り歯５０と第二送り歯５５も回動する。この動作により巻き出されたトイレットペーパー１４７は当該トイレットペーパーホルダーの下部に備えてある受け皿８０に送り出されカッター７０にて切り取る。
【符号の説明】
【００１８】１        トイレットペーパーホルダー
５        軸受板
１０      カバー
２０      主軸
３０      主歯車
４０      第一回転軸
４５      第二回転軸
５０      第一送り歯車
５５      第二送り歯車
７０      カッター
８０      受け皿
１３０    ラチェット機構を備えたハンドルレバー
１４０    第一のトイレットペーパー
１４５    第二のトイレットペーパー
１４７    巻き出されたトイレットペーパー
【図１】
0003220390.tif 000003
【図２】
0003220390.tif 000004
【図３】
0003220390.tif 000005
【手続補正書】
【提出日】平成30年12月11日(2018.12.11)
【手続補正１】
【補正対象書類名】実用新案登録請求の範囲
【補正対象項目名】全文
【補正方法】変更
【補正の内容】
【実用新案登録請求の範囲】
【請求項１】
主歯車の回動により連動して回動する２個の送り歯車と、前記送り歯車の軸にはトイレットペーパーが取り付けられ、前記主歯車の回動により前記トイレットペーパーが同時に巻き出されるトイレットペーパーホルダー
【請求項２】
前記巻き出されたトイレットペーパーを保持するための受け皿と前記巻き出されたトイレットペーパーを切断するためのカッターを備えた請求項１記載のトイレットペーパーホルダー
【請求項３】
手動レバーが前記主歯車に連結され、該手動レバーを下方向に押し下げることにより前記主歯車が回動する請求項１または請求項２記載のトイレットペーパーホルダー